(57)【要約】【課題】光量損失を低減できる照明装置を有する画像読取装置を提供する。【解決手段】画像読取装置は、原稿を照明する照明装置５０と、原稿からの反射光を受光して反射光を画像信号に変換するイメージセンサーと、を有し、照明装置は、複数の発光素子１００と、発光素子が配列された基板１０１と、発光素子の発光部１０８から出射された光１０７を原稿へ向ける導光体１０２と、を有し、導光体は、発光素子からの光が入射する入射面１０３と、入射面に入射した光を伝搬する導光部１０４と、導光部を伝搬した光を原稿へ向けて出射する出射面１０６と、出射方向Ｅにおいて発光部の下流側に設けられた第一当接部１０９と、反対の側に設けられた第二当接部１１０と、を有し、導光体は、第一当接部と第二当接部を基板の当接面１０１ａに当接して基板に固定され、導光体の当接面の側の面１０４ａは、出射方向に向かって基板の当接面から離れる方向に傾斜している。【選択図】図１
2015082794.tif 000002
【特許請求の範囲】
【請求項１】
原稿を照明する照明装置と、
前記原稿からの反射光を受光して前記反射光を画像信号に変換するイメージセンサーと、
を有する画像読取装置であって、
前記照明装置は、
複数の発光素子と、
前記複数の発光素子が配列された基板と、
前記複数の発光素子の発光部から出射方向に出射された光を前記原稿へ向ける導光体と、
を有し、
前記導光体は、
前記複数の発光素子からの前記光が入射する入射面と、
前記入射面に入射した前記光を伝搬する導光部と、
前記導光部を伝搬した前記光を前記原稿へ向けて出射する出射面と、
前記出射方向において前記発光部の下流側に設けられた第一当接部と、
前記出射方向において前記発光部に対して前記第一当接部と反対の側に設けられた第二当接部と、
を有し、
前記導光体は、前記第一当接部と前記第二当接部を前記基板の当接面に当接して前記基板に固定され、前記導光部の前記当接面の側の面は、前記出射方向に向かって前記基板の前記当接面から離れる方向に傾斜している画像読取装置。
【請求項２】
前記第一当接部は、前記基板に配列された前記複数の発光素子の配列方向に沿って線状に延在する請求項１に記載の画像読取装置。
【請求項３】
前記第二当接部は、前記基板に配列された前記複数の発光素子の配列方向に沿って線状に延在する請求項１又は２に記載の画像読取装置。
【請求項４】
前記第二当接部は、前記基板の前記当接面に平行な平面である請求項１又は２に記載の画像読取装置。
【請求項５】
前記第二当接部は、固定部材を介して前記基板の前記当接面に当接している請求項１乃至４のいずれか一項に記載の画像読取装置。
【請求項６】
前記第二当接部は、前記複数の発光素子の発光素子と発光素子との間に配置されている請求項１に記載の画像読取装置。
【請求項７】
前記第二当接部は、前記第一当接部から連続して前記出射方向と反対の方向へ延在している請求項６に記載の画像読取装置。
【請求項８】
前記導光体は、前記導光部を伝搬した前記光を前記原稿へ向けて偏向する偏向面をさらに有する請求項１乃至７のいずれか一項に記載の画像読取装置。
【請求項９】
前記第一当接部は、前記複数の発光素子の前記発光部と前記偏向面との間に設けられている請求項８に記載の画像読取装置。
【請求項１０】
前記照明装置は、主走査方向に線状に前記原稿を照明し、
前記画像読取装置は、前記主走査方向に直交する副走査方向に前記照明装置および前記イメージセンサーを移動させながら前記原稿の前記画像を読み取る請求項１乃至９のいずれか一項に記載の画像読取装置。
【請求項１１】
前記照明装置は、主走査方向に線状に前記原稿を照明し、
前記画像読取装置は、前記原稿を前記主走査方向に直交する副走査方向に移動させながら前記原稿の前記画像を読み取る請求項１乃至９のいずれか一項に記載の画像読取装置。
【請求項１２】
前記基板の前記当接面と前記導光部の前記当接面の側の前記面とのなす角度は、２度以上５度以下である請求項１乃至１１のいずれか一項に記載の画像読取装置。
【発明の詳細な説明】
【技術分野】
【０００１】
本発明は、原稿を照明する照明装置を有する画像読取装置に関する。
【背景技術】
【０００２】
従来、画像読取装置は、複写機、イメージスキャナ、マルチファンクションプリンタ等に用いられている。画像読取装置は、原稿を光で照明し、原稿からの反射光を受光することにより原稿の画像を読み取る。原稿を光で照明するために、画像読取装置は、照明装置を有する。照明装置は、複数の発光素子から出射された光を原稿へ導く導光体を有するものがある。
【０００３】
図８は、従来の照明装置４５０の副走査断面を示す断面図である。照明装置４５０は、原稿２０３を載置する原稿台ガラス２０２の下に配置されている。
【０００４】
照明装置４５０は、複数の発光素子１００と、複数の発光素子１００が配列された基板１０１と、基板１０１に固定された導光体４０２とを有する。複数の発光素子１００は、主走査方向（図８の紙面に垂直な方向）に沿って直線状に基板１０１の上に配置されている。導光体４０２は、入射面４０３、導光部４０４、偏向面（反射面）４０５、及び出射面４０６を有する。導光体４０２の入射面４０３は、発光素子１００の発光部（出射面）１０８に近接して配置されている。
【０００５】
基板１０１の上面１０１ａは、導光体４０２の導光部４０４の底面４０４ａと略平行である。導光体４０２は、導光部４０４の底面４０４ａが基板１０１の上面１０１ａに密着するように、固定部材（不図示）により基板１０１に固定されている（特許文献１、特許文献２）。
【０００６】
図９は、別の従来の照明装置４５１の副走査断面を示す断面図である。図９において、図８に示す従来の照明装置４５０と同様の構造には同様の参照符号を付して説明を省略する。照明装置４５１の導光部４０４の底面４０４ａは、両面テープ１１２により基板１０１の上面１０１ａに固定されている。
【０００７】
図８及び図９に示す照明装置４５０及び４５１において、発光素子１００の発光部１０８から出射された光１０７は、導光体４０２の入射面４０３へ入射する。光１０７は、導光体４０２の導光部４０４内を伝搬する。偏向面４０５は、導光部４０４からの光１０７の進行方向を上方へ偏向して、光１０７を原稿台ガラス２０２上の原稿読取位置ＲＰへ向ける。光１０７は、原稿台ガラス２０２の上面２０２ａに載置された原稿２０３を主走査方向に直線状に照明する。
【先行技術文献】
【特許文献】
【０００８】
【特許文献１】特開２０１１−６５８６４号公報
【特許文献２】特許４５４２９５４号公報
【発明の概要】
【発明が解決しようとする課題】
【０００９】
図８に示す照明装置４５０において、導光体４０２の導光部４０４の底面４０４ａと基板１０１の上面１０１ａとの間の隙間に水分や油分等が付着すると、底面４０４ａと上面１０１ａの間に空気層が形成されない。導光部４０４の外周に空気層が存在することは、光１０７が導光部４０４の内部で全反射するための条件の一つである。底面４０４ａと上面１０１ａの間に空気層が存在しないと、光１０７の一部が漏洩光１１１として導光部４０４から外へ漏れ出る。これは、光量損失の問題を生じる。
【００１０】
また、図９に示す照明装置４５１において、導光体４０２の導光部４０４の底面４０４ａと基板１０１の上面１０１ａとの間に両面テープ１１２が密着しているので、底面４０４ａと上面１０１ａの間に空気層が形成されない。従って、底面４０４ａの両面テープ１１２が貼り付けられた部分は、光１０７を全反射せず、光１０７の一部が漏洩光１１１として導光部４０４から外へ漏れ出る。これは、光量損失の問題を生じる。
【００１１】
特許文献２は、基板１０１の上面１０１ａにアルミニウムを蒸着させるなどして導光部４０４の底面４０４ａを反射面にすることを開示している。これによって、底面４０４ａから導光部４０４の外へ出た光を上面１０１ａで反射させて、光を底面４０４ａから導光部４０４へ戻すことができる。
【００１２】
また、両面テープ１１２に白色素材又は反射特性を有する素材を用いることにより、導光部４０４の外へ出た光を両面テープ１１２で反射させて、光を底面４０４ａから導光部４０４へ戻すことも考えられる。しかし、両面テープ１１２の反射率は、高くても８０から９０％程度である。その上、両面テープ１１２に特殊な素材を使用するので、両面テープ１１２の費用が高くなるという問題がある。
【００１３】
そこで、本発明は、光量損失を低減できる照明装置を有する画像読取装置を提供する。
【課題を解決するための手段】
【００１４】
上記の問題を解決するために、本発明による画像読取装置は、
原稿を照明する照明装置と、
前記原稿からの反射光を受光して前記反射光を画像信号に変換するイメージセンサーと、
を有し、
前記照明装置は、
複数の発光素子と、
前記複数の発光素子が配列された基板と、
前記複数の発光素子の発光部から出射方向に出射された光を前記原稿へ向ける導光体と、
を有し、
前記導光体は、
前記複数の発光素子からの前記光が入射する入射面と、
前記入射面に入射した前記光を伝搬する導光部と、
前記導光部を伝搬した前記光を前記原稿へ向けて出射する出射面と、
前記出射方向において前記発光部の下流側に設けられた第一当接部と、
前記出射方向において前記発光部に対して前記第一当接部と反対の側に設けられた第二当接部と、
を有し、
前記導光体は、前記第一当接部と前記第二当接部を前記基板の当接面に当接して前記基板に固定され、前記導光体の前記当接面の側の面は、前記出射方向に向かって前記基板の前記当接面から離れる方向に傾斜している。
【発明の効果】
【００１５】
本発明によれば、光量損失を低減できる照明装置を有する画像読取装置を提供することができる。
【図面の簡単な説明】
【００１６】
【図１】実施例１の照明装置を示す図。
【図２】実施例２の導光体の部分断面図。
【図３】実施例３の導光体の部分断面図。
【図４】実施例４の導光体の部分断面図。
【図５】実施例５の導光体を示す図。
【図６】実施例１の光学ユニットの断面図。
【図７】実施例１の画像読取装置の断面図。
【図８】従来の照明装置の副走査断面を示す断面図。
【図９】別の従来の照明装置の副走査断面を示す断面図。
【発明を実施するための形態】
【００１７】
以下、本発明の実施例を説明する。
【実施例１】
【００１８】
以下、実施例１を説明する。
【００１９】
（画像読取装置）
図７は、実施例１の画像読取装置２０７の断面図である。
画像読取装置２０７は、本体２０８と、本体２０８の上部に配置された原稿台ガラス２０２と、本体２０８の内部で副走査方向Ｙに移動可能な光学ユニット２００とを有する。光学ユニット２００は、本体２０８に設けられた軌道２０９に支持されている。光学ユニット２００は、一対のプーリー２１１、２１２に巻き掛けられたベルト２１０に固定されている。モータ２１３は、プーリー２１１を正回転及び逆回転させて、ベルト２１０を矢印Ｃ１及びＣ２で示す方向に回転させる。モータ２１３によりベルト２１０を矢印Ｃ１で示す方向に正回転させると、光学ユニット２００は、軌道２０９に沿って副走査方向Ｙに移動する。一方、モータ２１３によりベルト２１０を矢印Ｃ２で示す方向に逆回転させると、光学ユニット２００は、副走査方向Ｙと逆の方向に移動する。
【００２０】
光学ユニット２００は、原稿２０３が載置された原稿台ガラス２０２の下を副走査方向Ｙへ移動しながら、原稿２０３の画像を読み取る。ここで、副走査方向Ｙは、主走査方向Ｘ（図１（ｂ））に直交する。主走査方向Ｘは、光学ユニット２００の後述する個体撮像素子（イメージセンサー）２０６の複数の受光部が配列されている方向（図７の紙面に垂直な方向）である。すなわち、個体撮像素子２０６は、原稿２０３の画像を主走査方向Ｘに線状に画像信号に変換する。
【００２１】
（光学ユニット）
図６は、実施例１の光学ユニット２００の断面図である。
光学ユニット２００は、枠体２１４と、照明装置５０と、反射ミラー２０４（２０４ａ、２０４ｂ、２０４ｃ、２０４ｄ）と、レンズユニット（結像光学系）２０５と、個体撮像素子２０６とを有する。ハウジング部材２０１は、枠体２１４の上部に設けられている。照明装置５０は、ハウジング部材２０１に固定されている。複数の反射ミラー２０４及びレンズユニット２０５は、枠体２１４内に配置されている。個体撮像素子２０６は、枠体２１４の側部に固定されている。
【００２２】
照明装置５０は、原稿台ガラス２０２上の原稿２０３を主走査方向Ｘに線状に照明する。照明装置５０から出射されたＬＥＤ光束（以下、光という。）１０７は、原稿台ガラス２０２上の原稿２０３で反射される。反射光１１７は、ハウジング部材２０１の光透過部２０１ａ及び枠体２１４の光透過部２１４ａを通して枠体２１４内へ入射する。反射光１１７は、反射ミラー２０４ａ、２０４ｂ、２０４ｃ、及び２０４ｄにより反射されて、レンズユニット２０５へ入射する。レンズユニット２０５は、反射光１１７を枠体２１４の光透過部２１４ｂを通して個体撮像素子２０６の上に結像させる。個体撮像素子２０６は、主走査方向Ｘに配列された複数の受光部を有する。個体撮像素子２０６は、反射光１１７を受光して、反射光１１７を、原稿２０３の主走査方向Ｘの線状の画像情報に従う画像信号としての電気信号に光電変換する。
【００２３】
光学ユニット２００は、画像読取装置２０７内を副走査方向Ｙへ移動しながら主走査方向Ｘの線状の画像情報を電気信号として順次出力することにより、原稿２０３の平面的な画像を読み取るように構成されている。
【００２４】
（照明装置）
図１は、実施例１による照明装置５０を示す図である。図１（ａ）は、照明装置５０の副走査断面を示す断面図である。図１（ｂ）は、照明装置５０の平面図である。
【００２５】
照明装置５０は、複数の発光ダイオード（以下、発光素子という。）１００と、複数の発光素子１００がアレイ状に配列されたＬＥＤプリント配線板（以下、基板という。）１０１と、基板１０１に固定された導光体１０２とを有する。
【００２６】
本実施例において、発光素子１００として端面放射型発光ダイオードを使用している。しかし、発光素子１００として表面放射型発光ダイオードを使用してもよい。複数の発光素子１００は、配列方向（図１（ｂ）に示す主走査方向Ｘ）に沿って直線状に所定の間隔で基板１０１の上に配列されている。
【００２７】
導光体１０２は、入射面１０３、導光部１０４、偏向面（反射面）１０５、及び出射面１０６を有する。本実施例において、導光体１０２は、アクリル樹脂などの透明な樹脂材料で形成されている。導光体１０２は、主走査方向Ｘに細長い形状を有する。導光体１０２の副走査方向Ｙの上流側の入射面１０３は、直線状に配置された複数の発光素子１００に沿って配置されている。入射面１０３は、発光素子１００からの光の光量損失を低減するために、発光素子１００の発光部（出射面）１０８に近接して配置されている。基板１０１の上面（以下、当接面という。）１０１ａは、複数の発光素子１００から出射される光１０７の出射方向Ｅと略平行である。導光体１０２は、基板１０１に固定されている。
【００２８】
発光素子１００の発光部１０８から出射された光１０７は、導光体１０２の入射面１０３へ入射する。入射面１０３に入射した光１０７は、導光体１０２の導光部１０４を伝搬する。導光体１０２の導光部１０４と出射面１０６との間には原稿２０３へ光１０７を向かわせるための偏向面１０５が設けられている。偏向面１０５は、図１（ａ）に示すように斜め上方へ光１０７を偏向（反射）させる。偏向された光１０７は、導光体１０２の副走査方向Ｙの下流側の出射面１０６から原稿台ガラス２０２上の原稿読取位置ＲＰへ斜めに出射される。照明装置５０からの光１０７は、原稿読取位置ＲＰで原稿２０３を主走査方向Ｘに直線状に照明する。
【００２９】
（導光体）
導光体１０２は、複数の発光素子１００の発光部１０８から出射方向Ｅに出射された光１０７を原稿２０３へ向ける。本実施例において、出射方向Ｅは、主走査方向Ｘに垂直な方向である。出射方向Ｅは、副走査方向Ｙに対して傾斜しているが、副走査方向Ｙに平行であってもよい。
【００３０】
図１（ａ）を参照して、実施例１の導光体１０２は、基板１０１の当接面１０１ａに当接する第一当接部１０９と第二当接部１１０とを有する。第一当接部１０９及び第二当接部１１０が基板１０１の当接面１０１ａに当接しているときに、導光部１０４の底面（当接面１０１ａの側の面）１０４ａは、出射方向Ｅの下流側に向かうにつれて基板１０１の当接面１０１ａで規定される平面から離れる姿勢にて固定されている。つまり、導光部１０４の底面１０４ａは、基板１０１の当接面１０１ａに対して角度θを有して固定されている。導光部１０４の底面１０４ａと基板１０１の当接面１０１ａで規定される平面とは、くさび形状の隙間ＷＧを形成する。
【００３１】
導光部１０４の底面１０４ａと基板１０１の当接面１０１ａとの間に形成される角度θは、２度未満であると組立の不注意で容易に底面１０４ａと当接面１０１ａが接触してしまう。そして、底面１０４ａと当接面１０１ａが接触してしまうと漏洩光による光量損失が生じてしまう。一方、角度θが５度を超えると、発光素子１００からの光１０７が導光体１０２の入射面１０３に入射するときに、光１０７の光量損失が大きくなる。よって、角度θは、２度以上５度以下が好ましい。
【００３２】
くさび形状の隙間ＷＧによって、導光部１０４の底面１０４ａの外側に常に空気層が確保される。よって、光１０７は、導光部１０４の底面１０４ａの全てで全反射を起こすことが可能となり、漏洩光による光量損失を低減させることができる。
【００３３】
第一当接部１０９は、導光体１０２の導光部１０４の底面１０４ａに設けられている。第一当接部１０９は、導光体１０２の入射面１０３に隣接している。第一当接部１０９は、主走査方向Ｘに延在する線状の当接部である。本実施例において、第一当接部１０９は、導光体１０２の入射面１０３に隣接しているが、第一当接部１０９は、発光素子１００の発光部１０８と導光体の偏向面１０５との間に配置されていればよい。第一当接部１０９は、発光素子１００の出射方向Ｅにおいて発光素子１００の発光部１０８の下流側に設けられている。
【００３４】
導光体１０２は、入射面１０３の上部から副走査方向Ｙの上流側へ延在する覆い部１２０を有する。覆い部１２０は、発光素子１００を覆う。覆い部１２０の下部には、凹部１２１が形成されている。凹部１２１には、発光素子１００が収納される。
【００３５】
第二当接部１１０は、出射方向Ｅにおいて凹部１２１の上流側であり、発光素子１００の発光部１０８の上流側である位置に設けられている。すなわち、第二当接部１１０は、出射方向Ｅにおいて、発光部１０８に対して第一当接部１０９と反対の側に設けられている。第二当接部１１０は、主走査方向Ｘに延在する線状の当接部である。
【００３６】
第一当接部１０９及び第二当接部１１０を基板１０１の当接面１０１ａに当接することにより、基板１０１の当接面１０１ａと導光部１０４の底面１０４ａとの間に角度θを形成して、導光体１０２を基板１０１に対して位置決めすることができる。
【００３７】
導光体１０２は、第一当接部１０９及び第二当接部１１０を基板１０１の当接面１０１ａに当接した状態で、固定部材（不図示）により基板１０１に固定される。
【００３８】
実施例１によれば、基板１０１の当接面１０１ａと導光部１０４の底面１０４ａとの間にくさび形状の隙間ＷＧすなわち空気層が形成される。例えば、少量の油脂や水分が基板１０１の当接面１０１ａと導光部１０４の底面１０４ａの各々に付着しても、空気層の喪失は、極微小な面積に限られる。よって、少量の油脂や水分は、導光部１０４の底面１０４ａでの光１０７の全反射に殆ど影響を与えない。
【００３９】
発光素子１００から出射された光１０７は、導光体１０２により光量損失なく導かれて原稿２０３の表面を照射する。光量損失が低減されるので、発光素子１００の数を削減することができ、コストダウンに寄与する。
【００４０】
また、複数の発光素子１００の配列方向における輝度分布も均一となり、原稿２０３の表面を主走査方向に均一な光で照明することができる。
【実施例２】
【００４１】
以下、実施例２を説明する。
実施例２の画像読取装置、光学ユニット、及び照明装置は、実施例１と同様であるので説明を省略する。実施例２の導光体１２２は、実施例１の導光体１０２と異なるので、以下、図２を参照して導光体１２２を説明する。
【００４２】
図２は、実施例２の導光体１２２の部分断面図である。図２において、実施例１の構造と同様の構造には、同様の参照符号を付して説明を省略する。
【００４３】
実施例２の導光体１２２は、基板１０１の当接面１０１ａに当接する第一当接部１０９と第二当接部１２３とを有する。第一当接部１０９及び第二当接部１２３が基板１０１の当接面１０１ａに当接しているときに、導光部１０４の底面（当接面１０１ａの側の面）１０４ａは、出射方向Ｅに向かって基板１０１の当接面１０１ａから離れる方向に傾斜している。導光部１０４の底面１０４ａは、基板１０１の当接面１０１ａに対して角度θを有する。導光部１０４の底面１０４ａと基板１０１の当接面１０１ａとは、くさび形状の隙間ＷＧを形成する。
【００４４】
第二当接部１２３は、副走査方向Ｙにおいて覆い部１２０の上流側で発光素子１００の発光部１０８の上流側に設けられている。すなわち、第二当接部１２３は、発光部１０８に対して第一当接部１０９と反対の側に設けられている。第二当接部１２３は、主走査方向Ｘに延在する面状の当接部である。第二当接部１２３は、基板１０１の当接面１０１ａに平行な平面に形成されている。
【００４５】
第一当接部１０９及び第二当接部１２３を基板１０１の当接面１０１ａに当接することにより、基板１０１の当接面１０１ａと導光部１０４の底面１０４ａとの間に角度θを形成して、導光体１０２を基板１０１に対して位置決めすることができる。
【００４６】
第二当接部１２３は、平らな面を有するので、角度θを安定させて導光体１０２の位置決めを行なうことが可能となる。
【００４７】
導光体１０２は、第一当接部１０９及び第二当接部１２３を基板１０１の当接面１０１ａに当接した状態で、固定部材（不図示）により基板１０１に固定される。
【００４８】
実施例２は、実施例１と同様の効果を奏することができる。
【実施例３】
【００４９】
以下、実施例３を説明する。
実施例３の画像読取装置、光学ユニット、及び照明装置は、実施例１と同様であるので説明を省略する。実施例３の導光体１３２は、実施例１の導光体１０２と異なるので、以下、図３を参照して導光体１３２を説明する。
【００５０】
図３は、実施例３の導光体１３２の部分断面図である。図３において、実施例１の構造と同様の構造には、同様の参照符号を付して説明を省略する。
【００５１】
実施例３の導光体１３２は、基板１０１の当接面１０１ａに当接する第一当接部１０９と、基板１０１の当接面１０１ａに両面テープ（固定部材）１３３を介して当接する第二当接部１３４とを有する。
【００５２】
第二当接部１３４は、副走査方向Ｙにおいて覆い部１２０の上流側で発光素子１００の発光部１０８の上流側に設けられている。すなわち、第二当接部１３４は、発光部１０８に対して第一当接部１０９と反対の側に設けられている。第二当接部１３４は、主走査方向Ｘに延在する平らな面を有する当接部である。第二当接部１３４は、基板１０１の当接面１０１ａと平行な面に形成されている。
【００５３】
第一当接部１０９が基板１０１の当接面１０１ａに当接し、第二当接部１３４が両面テープ１３３により基板１０１の当接面１０１ａに固定されているときに、導光部１０４の底面１０４ａは、基板１０１の当接面１０１ａに対して角度θを有する。導光部１０４の底面（当接面１０１ａの側の面）１０４ａは、出射方向Ｅに向かって基板１０１の当接面１０１ａから離れる方向に傾斜している。導光部１０４の底面１０４ａと基板１０１の当接面１０１ａとは、くさび形状の隙間ＷＧを形成する。
【００５４】
第二当接部１３４を両面テープ１３３により基板１０１の当接面１０１ａに固定することにより、角度θを安定させて導光体１３２の位置決めを行なうことが可能となると同時に、組立作業が簡易となる。
【００５５】
また、実施例３は、実施例１と同様の効果を奏することができる。
【実施例４】
【００５６】
以下、実施例４を説明する。
実施例４の画像読取装置、光学ユニット、及び照明装置は、実施例１と同様であるので説明を省略する。実施例４の導光体１４２は、実施例１の導光体１０２と異なるので、以下、図４を参照して導光体１４２を説明する。
【００５７】
図４は、実施例４の導光体１４２の部分断面図である。図４において、実施例１の構造と同様の構造には、同様の参照符号を付して説明を省略する。
【００５８】
実施例４の導光体１４２は、基板１０１の当接面１０１ａに当接する第一当接部１０９と、基板１０１の当接面１０１ａに接着剤（固定部材）１４３を介して当接する第二当接部１４４とを有する。
【００５９】
第二当接部１４４は、副走査方向Ｙにおいて覆い部１２０の上流側で発光素子１００の発光部１０８の上流側に設けられている。すなわち、第二当接部１４４は、発光部１０８に対して第一当接部１０９と反対の側に設けられている。第二当接部１４４は、主走査方向Ｘに延在する面を有する当接部である。第二当接部１４４は、基板１０１の当接面１０１ａと第二当接部１４４との間の隙間に接着剤１４３を充填しやすいように、副走査方向Ｙの上流に向かって当接面１０１ａから離れるように傾斜した傾斜平面を有する。
【００６０】
基板１０１の当接面１０１ａと第二当接部１４４との間の隙間に接着剤１４３を塗布するので、基板１０１の当接面１０１ａに対する導光部１０４の底面１０４ａの角度θを可変させて組み立てることが可能になる。角度θを変更することにより、導光体１４２の出射面１０６からの光１０７が原稿読取位置ＲＰで原稿２０３に入射する入射角度を調整することができる。
【００６１】
また、実施例４は、実施例１と同様の効果を奏することができる。
【実施例５】
【００６２】
以下、実施例５を説明する。
実施例５の画像読取装置、光学ユニット、及び照明装置は、実施例１と同様であるので説明を省略する。実施例５の導光体１５２は、実施例１の導光体１０２と異なるので、以下、図５を参照して導光体１５２を説明する。
【００６３】
図５は、実施例５の導光体１５２を示す図である。図５（ａ）は、基板１０１に固定された導光体１５２の部分平面図である。図５（ｂ）は、図５（ａ）のＶＢ−ＶＢ線に沿って取った断面図である。図５（ｃ）は、図５（ａ）のＶＣ−ＶＣ線に沿って取った断面図である。図５において、実施例１の構造と同様の構造には、同様の参照符号を付して説明を省略する。
【００６４】
実施例５の導光体１５２は、基板１０１の当接面１０１ａに当接する第一当接部１０９と第二当接部１５４とを有する。
【００６５】
導光体１５２は、入射面１０３の上部から副走査方向Ｙの上流側へ延在する覆い部１５６を有する。覆い部１５６は、発光素子１００を覆う。
【００６６】
導光体１５２は、発光素子１００と発光素子１００との間に複数の仕切り壁１５５（１５５ａ、１５５ｂ）を有する。仕切り壁１５５は、入射面１０３から副走査方向Ｙの上流側へ延在するとともに覆い部１５６から基板１０１へ延在している。第二当接部１５４は、仕切り壁１５５の底部に設けられている。
【００６７】
第二当接部１５４は、導光部１０４の底面１０４ａに対して角度θだけ傾いている。本実施例において、第二当接部１５４は、第一当接部１０９から連続して出射方向Ｅ（副走査方向Ｙ）と反対の方向へ延在している。しかし、第二当接部１５４は、第一当接部１０９から離れて形成されていてもよい。
【００６８】
第一当接部１０９及び第二当接部１５４が基板１０１の当接面１０１ａに当接しているときに、導光部１０４の底面（当接面１０１ａの側の面）１０４ａは、出射方向Ｅに向かって基板１０１の当接面１０１ａから離れる方向に傾斜している。導光部１０４の底面１０４ａは、基板１０１の当接面１０１ａに対して角度θを有する。導光部１０４の底面１０４ａと基板１０１の当接面１０１ａとは、くさび形状の隙間ＷＧを形成する。
【００６９】
第一当接部１０９及び第二当接部１５４を基板１０１の当接面１０１ａに当接することにより、基板１０１の当接面１０１ａと導光部１０４の底面１０４ａとの間に角度θを形成して、導光体１０２を基板１０１に対して位置決めすることができる。
【００７０】
第一当接部１０９及び第二当接部１５４を基板１０１の当接面１０１ａに当接した状態で、発光素子１００と発光素子１００との間の複数の仕切り壁１５５ａ、１５５ｂの間に接着剤（固定部材）１５３を塗布する。導光体１５２は、接着剤１５３により基板１０１に固定される。
【００７１】
発光素子１００と発光素子１００との間の複数の仕切り壁１５５の間に接着剤１５３を塗布するので、導光体１５２の発光素子１００の副走査方向Ｙの上流側への延長部の長さを最小限にすることができる。本実施例は、画像読取装置２０７の小型化に寄与するという効果がある。また、本実施例によれば、複数の仕切り壁１５５の間に接着剤１５３を塗布するので、接着剤１５３が発光素子１００に向かって流れないという効果がある。
【００７２】
また、実施例５は、実施例１と同様の効果を奏することができる。
【００７３】
実施例１から実施例５において、導光体１０２、１２２、１３２、１４２、及び１５２は、偏向面１０５を有している。しかし、導光体は、出射面からの光を原稿へ向けることができる限り必ずしも偏向面を有する必要はない。
【００７４】
以上、実施例１から実施例５によれば、導光体の導光部と基板とが発光素子の発光部の近傍で面接触することが無く、導光部と基板との間に確実に空気層を確保することができる。この結果、発光素子から出射された光は、導光部の内部で全反射されて、光量損失なく原稿の表面に至る。従って、発光素子の数を削減することができる。また、発光素子の配列方向における光量ムラが無くなり照明光が均一になる。
【００７５】
また、副走査方向において発光素子の発光部よりも上流側に導光体の第二当接部を設けているので、導光体の第一及び第二当接部を基板の当接面に当接させて導光部の底面と基板の当接面との間の角度θを保つことが可能である。
【００７６】
第２の当接部において導光体を基板に固定する場合には、例えば、一般的な両面テープや接着剤を使用することができるので、更なるコスト低減が可能である。
【００７７】
また、発光素子と発光素子との間に第二当接部を設けた場合には、導光体の発光素子の側への延長部分を最小限にすることができるので、画像読取装置の小型化に寄与する。
実施例１から実施例５は、光学ユニット２００を副走査方向Ｙに移動しながら原稿台ガラス２０２の上の原稿２０３の画像を読み取る固定読みモードで動作する画像読取装置２０７を説明した。固定読みモードにおいては、照明装置５０は、個体撮像素子２０６が原稿２０３の画像を線状に画像信号に変換する主走査方向Ｘに線状に原稿２０３を照明する。画像読取装置２０７は、主走査方向Ｘに直交する副走査方向Ｙに照明装置５０及び個体撮像素子２０６を移動させながら原稿２０３の画像を読み取る。
【００７８】
画像読取装置２０７は、光学ユニット２００を読取位置に停止して、読取位置の上で原稿２０３を副走査方向Ｙに移動させながら原稿２０３の画像を読み取る流し読みモードを有していてもよい。流し読みモードにおいては、照明装置５０は、主走査方向Ｘに線状に原稿２０３を照明する。画像読取装置２０７は、原稿２０３を主走査方向に直交する副走査方向Ｙに移動させながら原稿２０３の画像を読み取る。照明装置５０は、流し読みモードにおいても固定読みモードと同様の効果を奏することができる。
【符号の説明】
【００７９】
５０  照明装置
１００  発光素子
１０１  ＬＥＤプリント配線板（基板）
１０１ａ  上面（当接面）
１０２、１２２、１３２、１４２、１５２  導光体
１０３  入射面
１０４  導光部
１０４ａ  底面（当接面の側の面）
１０５  偏向面
１０６  出射面
１０７  ＬＥＤ光束（光）
１０８  発光部
１０９  第１の当接部
１１０、１２３、１３４、１４４、１５４  第２の当接部
１１７  反射光
２０３  原稿 
２０６  個体撮像素子（イメージセンサー）
２０７  画像読取装置
Ｅ  出射方向
Ｙ  副走査方向
【図１】
2015082794.tif 000003
【図２】
2015082794.tif 000004
【図３】
2015082794.tif 000005
【図４】
2015082794.tif 000006
【図５】
2015082794.tif 000007
【図６】
2015082794.tif 000008
【図７】
2015082794.tif 000009
【図８】
2015082794.tif 000010
【図９】
2015082794.tif 000011